(57)【要約】【課題】１枚のパッドで左右どちら側の脇にも装着でき、優れた吸汗性能を発揮し得るようにする。【解決手段】所定の折り線１０、１１で２つに折り曲げて衣服の脇の下部分の内側に装着する脇用汗取りパッド１である。左右の装着する側に応じて折り曲げ位置が変えられるように、２本の折り線１０、１１が設けられている。折り線１０又は１１を境界線として衣服の胴部側に配置される胴側領域６は、前記折り線１０又は１１の直交方向に折り線が重なる折り線重なり部１２と、前記折り線重なり部１２の折り線が延びる方向の両端からそれぞれ折り線の延長方向に延在する一方側延在部１３及び他方側延在部１４とに区画され、一方側延在部１３の折り線に沿う方向の長さが、他方側延在部１４の折り線に沿う方向の長さよりも長い。【選択図】図１
2020081439.tif 000002
【特許請求の範囲】
【請求項１】
所定の折り線で２つに折り曲げて衣服の脇の下部分の内側に装着する脇用汗取りパッドであって、
左右の装着する側に応じて折り曲げ位置が変えられるように、前記折り線が２本設けられていることを特徴とする脇用汗取りパッド。
【請求項２】
前記折り線を境界線として一方側が衣服の胴部側に配置される胴側領域、他方側が衣服の袖部側に配置される袖側領域を形成し、
前記胴側領域は、前記折り線の直交方向に前記折り線が重なる折り線重なり部と、前記折り線重なり部の前記折り線が延びる方向の両端からそれぞれ前記折り線の延長方向に延在する一方側延在部及び他方側延在部とに区画され、
前記一方側延在部の前記折り線に沿う方向の長さが、前記他方側延在部の前記折り線に沿う方向の長さよりも長い請求項１記載の脇用汗取りパッド。
【請求項３】
前記２本の折り線は、脇用汗取りパッドの中間部で交差するか、外形線上の１点からそれぞれ異なる方向に延びている請求項１、２いずれかに記載の脇用汗取りパッド。
【請求項４】
前記脇用汗取りパッドは、展開状態の平面視で、前記２本の折り線の交点を通る中心線を基準として、左右対称に形成されている請求項１〜３いずれかに記載の脇用汗取りパッド。
【請求項５】
前記折り線の端部に、前記脇用汗取りパッドの外形線が周辺よりも内側に窪む凹部が形成されている請求項１〜４いずれかに記載の脇用汗取りパッド。
【請求項６】
前記折り線での折り曲げを容易にするため、前記折り線に沿って屈曲補助手段が施されている請求項１〜５いずれかに記載の脇用汗取りパッド。
【請求項７】
各折り線で折り曲げたときの装着する左右の側及び装着の向きが外部から認識可能な表示部が設けられている請求項１〜６いずれかに記載の脇用汗取りパッド。
【発明の詳細な説明】
【技術分野】
【０００１】
本発明は、衣服の脇の下部分の内側に取り付けて使用する脇用汗取りパッドに関する。
【背景技術】
【０００２】
従来より、図１６及び図１７に示されるように、脇用汗取りパッド５０として、衣服の脇の下部分に装着する際、所定の折り線５１で２つ折りにして、前記折り線５１を境界線として一方側を衣服の胴部側に配置する胴側領域５２、他方側を衣服の袖部側に配置する袖側領域５３とするとともに、装着の際、左右どちらの脇にも使用可能なように、前記折り線５１の中央で前記折り線５１に直交する中央部直交線５４、即ち脇用汗取りパッド５０を衣服の前後方向にほぼ二分する線を基準として、前後対称に形成したものが広く用いられている。
【０００３】
脇用汗取りパッドにおいて、多量の汗を吸収し得るようにするには、衣服の胴部側に配置される胴側領域に面積を大きくした部位を形成するのが効果的であるが、前述の通り従来の脇用汗取りパッドは左右で兼用できるように前後対称に形成されているため、前側と後側の両方に面積を大きくした部位を形成する必要があった。多量の汗をかいたとき、通常は脇の下の前側に汗染みができやすいため前側の吸収量を増加するのが効果的であるが、後側への汗染みを防止したい場合もあり、吸収量を増加したい箇所が前側か後側かは人や使用状況によって異なるものである。また、前後対称に形成された従来の脇用汗取りパッドでは、必要な部位以外の部位の面積も増加するため、衣服に装着し難いとともに、着用時に違和感を生じる欠点があった。
【０００４】
脇の下の前側の吸収量を増加させたものとしては、例えば、下記特許文献１において、折曲線を境界線として、一方の側を身頃側部、他方の側を袖側部とし、身頃側部の面積を袖側部の面積よりも大とし、さらに、身頃側部を大面積部及び小面積部から構成し、袖側部も大面積部及び小面積部から構成し、かかる脇用汗取りパッドを衣服の脇部に貼着する際、身頃側部及び袖側部の大面積部を身頃の正面側及び袖の正面側に位置するように貼着、使用することによって、多く発汗する部位から十分に汗を吸収できるようにした脇用汗取りパッドが開示されている。
【０００５】
また、１つのパッドで装着形態を選択できるようにしたものとしては、例えば、下記特許文献２及び非特許文献１に、略円形に形成されたパッド地の周縁の一部に、内側に膨出する円弧状の切欠部が設けられた平面形状で形成され、衣類への装着に際して、出荷段階で個別包装された状態と同じ二つ折りにして、その折目で衣類の腋部を狭持する方法と、ノースリーブに対しては二つ折りせずに開いた状態で、前記切欠部を腋部に向けて衣類に貼着する方法とが選択可能とされた汗取りパッドが開示されている。
【先行技術文献】
【特許文献】
【０００６】
【特許文献１】特開２０１１−１９５９８７号公報
【特許文献２】特開２００７−１１９９２７号公報
【非特許文献】
【０００７】
【非特許文献１】“製品情報  あせとりパット ア・セーヌ  肌色 36枚入”、[online]、ジェクス株式会社、[平成30年11月13日検索]、インターネット<URL:http://www.jex-inc.co.jp/products/products_ase/products_ase_detail/>
【発明の概要】
【発明が解決しようとする課題】
【０００８】
しかしながら、上記特許文献１記載の汗取りパッドでは、吸収量を増加させた大面積部が左右の脇で同じ前側又は後側に位置するには、左右対称に形成された左脇用と右脇用の２種類のパッドを用意する必要があり、製造コストが嵩むとともに、左右を間違えないように装着しないと充分な吸収効果が得られないなどの欠点があった。
【０００９】
また、上記特許文献２及び非特許文献１に記載の汗取りパッドは、ノースリーブの衣服に装着する際に装着形態を選択できるようにしたものであり、吸収量を増加するための構成が備えられていない。
【００１０】
そこで本発明の主たる課題は、１枚のパッドで左右どちら側の脇にも装着でき、優れた吸汗性能を発揮し得る脇用汗取りパッドを提供することにある。
【課題を解決するための手段】
【００１１】
上記課題を解決するために請求項１に係る本発明として、所定の折り線で２つに折り曲げて衣服の脇の下部分の内側に装着する脇用汗取りパッドであって、
左右の装着する側に応じて折り曲げ位置が変えられるように、前記折り線が２本設けられていることを特徴とする脇用汗取りパッドが提供される。
【００１２】
上記請求項１記載の発明では、左右の装着する側に応じて折り曲げ位置が変えられるように、前記折り線が２本設けられている。つまり、１枚のパッドに、左脇に装着する際に折り曲げる左脇用折り線と、右脇に装着するする際に折り曲げる右脇用折り線とが設けられている。このため、装着する側に応じてそれぞれの折り線で折り曲げることにより、１枚のパッドで左右どちら側の脇にも装着できるようになるとともに、それぞれの折り線で折り曲げたとき、前側又は後側に吸収量を増加させた部位を設けることにより、所要の部位の吸収量を増加させることができ、優れた吸汗性能が発揮できるようになる。
【００１３】
請求項２に係る本発明として、前記折り線を境界線として一方側が衣服の胴部側に配置される胴側領域、他方側が衣服の袖部側に配置される袖側領域を形成し、
前記胴側領域は、前記折り線の直交方向に前記折り線が重なる折り線重なり部と、前記折り線重なり部の前記折り線が延びる方向の両端からそれぞれ前記折り線の延長方向に延在する一方側延在部及び他方側延在部とに区画され、
前記一方側延在部の前記折り線に沿う方向の長さが、前記他方側延在部の前記折り線に沿う方向の長さよりも長い請求項１記載の脇用汗取りパッドが提供される。
【００１４】
上記請求項２記載の発明では、前記一方側延在部の前記折り線に沿う方向の長さを、前記他方側延在部のそれよりも長くすることによって、前記胴側領域の一方側に吸収量を増加した面積の大きな部位を設けている。この面積が大きな一方側延在部を装着時に身体の前側又は後側の吸収量を増加したい側に配置することにより、この一方側延在部を配置した側の吸収量が増加して優れた吸汗性能が発揮できるようになる。
【００１５】
請求項３に係る本発明として、前記２本の折り線は、脇用汗取りパッドの中間部で交差するか、外形線上の１点からそれぞれ異なる方向に延びている請求項１、２いずれかに記載の脇用汗取りパッドが提供される。
【００１６】
上記請求項３記載の発明は、前記２本の折り線の配置形態について規定したものである。
【００１７】
請求項４に係る本発明として、前記脇用汗取りパッドは、展開状態の平面視で、前記２本の折り線の交点を通る中心線を基準として、左右対称に形成されている請求項１〜３いずれかに記載の脇用汗取りパッドが提供される。
【００１８】
上記請求項４記載の発明では、展開状態の平面視で、前記２本の折り線の交点を通る中心線を基準として、左右対称に形成しているため、各折り線で折り曲げた際に、左右の脇用汗取りパッドが左右対称に形成でき、左右でほぼ同等の吸汗性能が得られるようになる。
【００１９】
請求項５に係る本発明として、前記折り線の端部に、前記脇用汗取りパッドの外形線が周辺よりも内側に窪む凹部が形成されている請求項１〜４いずれかに記載の脇用汗取りパッドが提供される。
【００２０】
上記請求項５記載の発明では、前記折り線の端部に、前記脇用汗取りパッドの外形線が周辺よりも内側に窪む凹部を形成することにより、折り線の位置が視認しやすくなるとともに、前記凹部を起点として折り線位置で折り曲げやすくなる。
【００２１】
請求項６に係る本発明として、前記折り線での折り曲げを容易にするため、前記折り線に沿って屈曲補助手段が施されている請求項１〜５いずれかに記載の脇用汗取りパッドが提供される。
【００２２】
上記請求項６記載の発明では、前記折り線に沿って屈曲補助手段を施すことによって、折り線位置で確実に折り曲げることができるとともに、折り線位置での折り曲げが容易になる。前記屈曲補助手段としては、前記折り線における曲げ剛性を低下させたものであれば公知の手段を制限なく採用できるが、好ましくは低目付部やエンボス溝などで構成するのがよい。
【００２３】
請求項７に係る本発明として、各折り線で折り曲げたときの装着する左右の側及び装着の向きが外部から認識可能な表示部が設けられている請求項１〜６いずれかに記載の脇用汗取りパッドが提供される。
【００２４】
上記請求項７記載の発明では、装着時に左右の装着する側に応じて折り曲げるべき折り線が容易に識別できるようにするため、各折り線で折り曲げたときの装着する左右の側及び装着の向きが外部から視認可能な表示部を設けている。これにより、所定の折り線で折り曲げた脇用汗取りパッドを左右のどちらの脇に装着すべきか、またどの向きで装着すべきかが容易に判別できるようになる。前記表示部は、脇用汗取りパッドの非肌側に設けられた粘着剤層を剥離可能に覆う剥離シートの外面に施すのが好ましい。
【発明の効果】
【００２５】
以上詳説のとおり本発明によれば、１枚のパッドで左右どちら側の脇にも装着でき、優れた吸汗性能が発揮できるようになる。
【図面の簡単な説明】
【００２６】
【図１】本発明に係る脇用汗取りパッド１の一部破断展開図である。
【図２】図１のII−II線矢視図である。
【図３】左脇用折り線１０で折り曲げたときの斜視図である。
【図４】各折り線で折り曲げたときの胴側領域６側から見た平面図である。
【図５】変形例に係る脇用汗取りパッド１の平面図（その１）である。
【図６】各折り線で折り曲げたときの胴側領域６側から見た平面図である。
【図７】変形例に係る脇用汗取りパッド１の平面図（その２）である。
【図８】各折り線で折り曲げたときの胴側領域６側から見た平面図である。
【図９】変形例に係る脇用汗取りパッド１の平面図（その３）である。
【図１０】各折り線で折り曲げたときの胴側領域６側から見た平面図である。
【図１１】変形例に係る脇用汗取りパッド１の平面図（その４）である。
【図１２】各折り線で折り曲げたときの胴側領域６側から見た平面図である。
【図１３】折り線の屈曲補助手段を示す、脇用汗取りパッド１の平面図である。
【図１４】粘着剤層８を示す、脇用汗取りパッド１の裏面図である。
【図１５】表示部２１を示す、剥離シート９の平面図である。
【図１６】従来の脇用汗取りパッド５０の平面図である。
【図１７】従来の脇用汗取りパッド５０を折り線で折り曲げた状態の平面図である。
【発明を実施するための形態】
【００２７】
以下、本発明の実施の形態について図面を参照しながら詳述する。
〔脇用汗取りパッド１の基本構成〕
本発明に係る脇用汗取りパッド１は、図１及び図２に示されるように、ポリエチレンシート、ポリプロピレンシートなどからなる不透液性の裏面シート２と、汗を速やかに透過させる透液性の表面シート３と、これら両シート２，３間に介在された汗を吸収する吸収体４とから構成されている。前記裏面シート２、表面シート３及び吸収体４は、ほぼ同等の大きさで形成され、各層間が接着剤などの接合手段によって接合された構造としてもよいし、前記吸収体４の周囲において前記吸収体４より外側に延出している裏面シート２と表面シート３との外縁部を接合手段によって接合した構造としてもよい。
【００２８】
前記脇用汗取りパッド１は、衣服の脇の下部分の内側に取り付けて使用され、前記表面シート３を肌側、前記裏面シート２を衣服側に向けて装着される。
【００２９】
前記脇用汗取りパッド１は、所定の折り線１０又は１１で２つに折り曲げた状態で衣服に取り付けられる。衣服への取り付けに際して、前記折り線１０、１１は、衣服の胴部と袖部との境界部に設けられたアームホール周縁の縫合線にほぼ沿うようにして配置され、前記折り線１０、１１の両側はそれぞれ、各折り線１０又は１１で折り曲げた状態で、衣服の胴部側に配置される胴側領域６及び衣服の袖部側に配置される袖側領域７を形成する。前記胴側領域６は、前記袖側領域７より大きな面積で形成され、より多くの汗が吸収できるようになっている。
【００３０】
以下、さらに前記脇用汗取りパッド１の構造について詳述すると、
前記裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで裏面シートを構成する。）などを用いることができる。前記裏面シート２は、非透湿性のものでもよいが、ムレ防止の観点から透湿性を有するものが好ましい。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。特に好ましいものはポリエチレンフィルムであり、目立ちにくくするためベージュ色又はこれと同系の色とするのがよい。
【００３１】
次いで、前記表面シート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高で圧縮復元性が高い点で優れている。前記表面シート３に多数の透孔を形成した場合には、体液が速やかに吸収されるようになり、ドライタッチ性に優れたものとなる。不織布の繊維は、長繊維または短繊維のいずれでもよいが、好ましくはタオル地の風合いを出すため短繊維を使用するのがよい。また、エンボス処理を容易とするために、比較的低融点のポリエチレンまたはポリプロピレン等のオレフィン系繊維のものを用いるのがよい。また、融点の高い繊維を芯とし融点の低い繊維を鞘とした芯鞘型繊維やサイド−バイ−サイド型繊維、分割型繊維の複合繊維を好適に用いることもできる。目付けとしては、１０〜５０ｇ／ｍ２、好ましくは１５〜３５ｇ／ｍ２とするのがよい。
【００３２】
前記裏面シート２と表面シート３との間に介在される吸収体４は、汗を吸収保持する性質を有するものであれば公知のものを使用できる。たとえば、パルプ、高吸水性樹脂などを含むことができる。また、パルプ中に化学繊維を混入させてもよい。前記パルプとしては、木材から得られる化学パルプ、溶融パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。前記吸収体４としては、積繊体でもよいが、嵩を小さくできるエアレイド吸収体を用いるのが好ましい。前記エアレイド吸収体としては、パルプのみからなる不織布又はパルプとポリマーとからなる不織布でも良いし、その他バインダが含まれていても良い。また、２層の不織布層間に高吸水性樹脂を配置してなるポリマーシートを用いてもよい。吸収体４の目付けとしては、５０〜１５０ｇ／ｍ２とするのがよい。前記吸収体４は、形状保持、および汗を速やかに拡散させるとともに、一旦吸収した汗の逆戻りを防止するためにクレープ紙又は不織布などからなる被包シートによって囲繞してもよい。
【００３３】
図２に示されるように、前記裏面シート２の外面側（非肌面側）には、衣服に対する固定のために適宜の塗布パターンによってズレ止め用粘着剤層８が設けられ、その外面が少なくとも前記ズレ止め用粘着剤層８に対する当接面に剥離処理が施された紙、フィルム、不織布などからなる剥離シート９によって覆われている。
【００３４】
〔折り線〕
本脇用汗取りパッド１では、左右の装着する側に応じて折り曲げ位置が変えられるように、前記折り線が２本設けられている。すなわち、図１に示されるように、左脇に装着する際に折り曲げられる左脇用折り線１０と、右脇に装着する際に折り曲げられる右脇用折り線１１とが設けられている。図３及び図４に示されるように、左脇に装着する際は、前記脇用汗取りパッド１を前記左脇用折り線１０で２つに折り曲げる一方で、前記右脇用折り線１１では折り曲げないようにする。また、右脇に装着する際は、前記脇用汗取りパッド１を前記右脇用折り線１１で２つに折り曲げる一方で、前記左脇用折り線１０では折り曲げないようにする。
【００３５】
前記左脇用折り線１０及び右脇用折り線１１は、それぞれ異なる方向に延びる直線からなり、図１等に示されるように、脇用汗取りパッド１の中間部で交差するように配置されるか、図９等に示されるように、外形線上の１点からそれぞれ異なる方向に延びるように配置されている。図１に示される実施形態例では、前記左脇用折り線１０及び右脇用折り線１１は、脇用汗取りパッド１の中間部でほぼ直交する方向に交差している。
【００３６】
前記胴側領域６及び袖側領域７は、左脇用折り線１０で折り曲げたときと、右脇用折り線１１で折り曲げたときとで、形成される領域が異なっている。前記左脇用折り線１０で折り曲げたときは、その左脇用折り線１０の両側がそれぞれ胴側領域６Ａ及び袖側領域７Ａを形成し、前記右脇用折り線１１で折り曲げたときは、その右脇用折り線１１の両側がそれぞれ胴側領域６Ｂ及び袖側領域７Ｂを形成する（図４参照）。
【００３７】
このように、本脇用汗取りパッド１では、左右の脇のうち装着する側に応じて左脇用折り線１０又は右脇用折り線１１で折り曲げることにより、１枚のパッドで左右どちらの脇にも装着できるようになるとともに、それぞれの折り線で折り曲げたとき、前側又は後側に吸収量を増加させた部位を設けておくことにより、所要の部位の吸収量を増加させることができ、優れた吸汗性能が発揮できるようになる。
【００３８】
図４(A)に示されるように、前記左脇用折り線１０で折り曲げた際の胴側領域６Ａは、この左脇用折り線１０の直交方向に該左脇用折り線１０が重なる折り線重なり部１２と、この折り線重なり部１２の前記左脇用折り線１０が延びる方向の両端からそれぞれ前記左脇用折り線１０の延長方向に延在する一方側延在部１３及び他方側延在部１４とに区画することができる。また、図４(B)に示されるように、前記右脇用折り線１１で折り曲げた際の胴側領域６Ｂも同様に、この右脇用折り線１１の直交方向に該右脇用折り線１１が重なる折り線重なり部１２と、この折り線重なり部１２の前記右脇用折り線１１が延びる方向の両端からそれぞれ前記右脇用折り線１１の延長方向に延在する一方側延在部１３及び他方側延在部１４とに区画することができる。前記一方側延在部１３及び他方側延在部１４は、前記左脇用折り線１０で折り曲げたものと、前記右脇用折り線１１で折り曲げたものとで左右対称に形成されている。前記折り線重なり部１２の前記折り線１０又は１１に沿う方向の長さは、着用者の脇の下部分にフィットしやすいように、３〜１５ｃｍ、好ましくは６〜１０ｃｍ、より好ましくは８ｃｍ程度とするのがよい。
【００３９】
前記一方側延在部１３の前記折り線１０又は１１に沿う方向の長さは、図４に示されるように、前記他方側延在部１４の前記折り線１０又は１１に沿う方向の長さとほぼ同等にしてもよいが、図５及び図６に示されるように、前記他方側延在部１４の前記折り線１０又は１１に沿う方向の長さよりも長くするのが好ましい。一方側延在部１３の長さを相対的に長くすることによって、胴側領域６の一方側に吸収量を増加した面積の大きな部位が形成されるようになり、この一方側延在部１３を装着時に身体の前側又は後側の吸収量を増加したい側（図示例では前側）に配置することにより、この一方側延在部１３を配置した側の吸収量が増加して優れた吸汗性能が発揮できるようになる。一方、これとは反対側の他方側延在部１４は、相対的に小さな面積で形成されているため、脇用汗取りパッド１を装着しやすくなるとともに、装着時の違和感も軽減できるようになる。前記一方側延在部１３は、図示例では前側に配置されているが、前側及び後側のうち着用者が吸収量を増加させたい任意の側に配置することができる。
【００４０】
また、前記一方側延在部１３の前記折り線１０又は１１に沿う方向の長さを相対的に長くすることにより、前記胴側領域６は、各折り線１０、１１の中央で該折り線１０、１１に直交する方向に延びる中央部直交線を境界線として、前記一方側延在部１３を含む一方側の領域の面積の方が、前記他方側延在部１４を含む他方側の領域の面積よりも大きくなるように形成するのが好ましい。これにより、前記一方側延在部１３を含む前記中央部直交線より一方側の領域の吸収量が確実に増加でき、必要な部分の吸収量を充分に確保することができるようになる。
【００４１】
前記脇用汗取りパッド１の展開状態における平面形状は、図１に示される実施形態例では、ほぼ直交する３方にほぼ同等の大きさで形成された略半円状の突部１５、１５…が隣接して配置されるとともに、残りの１方が直線からなる連結部１６によって連結された外形状を有している。隣り合う略半円状の突部１５、１５同士の間にはそれぞれ窪み部１７が形成されている。前記左脇用折り線１０及び右脇用折り線１１はそれぞれ、隣り合う突部１５、１５間の窪み部１７の底部から、残りの突部１５と連結部１６との境界部にかけて延びている。前記折り線１０、１１同士は、脇用汗取りパッド１の中間部の交点１８でほぼ直交する方向に交差している。図１に示される形態例では、左脇用折り線１０と右脇用折り線１１とが、各折り線１０、１１の中央部の交点１８で直交している。これにより、前記折り線１０又は１１で折り曲げたとき、胴側領域６は、折り線１０又は１１の中央部で直交する中央部直交線を基準として、左右対称に形成されるようになる。したがって、図１に示される実施形態例では、折り線重なり部１２の両側に形成される一方側延在部１３及び他方側延在部１４は、折り線１０、１１に沿う方向の長さがほぼ同等に形成されている。
【００４２】
前記脇用汗取りパッド１の展開状態において、前記脇用汗取りパッド１は、前記交点１８を通る中心線ＣＬを基準として左右対称に形成するのが好ましい。前記中心線ＣＬは、前記交点１８を通るとともに、中央に位置する突部１５の中央部を通り、かつ前記連結部１６の中央部を通る直線である。脇用汗取りパッド１の展開状態における平面形状が前記中心線ＣＬを基準として左右対称に形成されることにより、各折り線１０、１１で折り曲げた状態の左右の脇用汗取りパッド１、１が左右対称に形成され、左右でほぼ同等の吸汗性能が得られるようになる。
【００４３】
次いで、前記脇用汗取りパッド１の平面形状の変形例について説明すると、図５及び図６に示される実施形態例では、前記連結部１６が中央部で最も内側に膨出する曲線によって形成されている。前記連結部１６がこのような曲線で形成されることにより、前記連結部１６を直線で形成した場合に比べ、折り線１０、１１の端部が接続する外形線が内側に位置するようになり、その分だけ折り線１０、１１の長さが短くなる。これによって、一方側延在部１３の折り線１０又は１１に沿う方向の長さが、他方側延在部１４の折り線１０又は１１に沿う方向の長さよりも長く形成されるようになる。
【００４４】
また、図７及び図８に示される実施形態例では、折り線１０、１１の端部が接続する外形線の部分にそれぞれ、前記折り線１０、１１が延びる方向の内側に窪む窪み部１９が形成されている。これによって、連結部１６の全体を凹状の曲線で形成するよりも折り線１０、１１の長さがより短くなり、この折り線１０、１１より外側に延出する一方側延在部１３の折り線１０又は１１に沿う方向の長さが更に長く形成されるようになる。また、前記窪み部１９、１９の間の連結部１６には、外側に膨出する円弧状の突部２０が形成されている。このため、前記折り線１０又は１１で折り曲げた状態で、袖側領域７には、図８に示されるように、窪み部１９を介して２つの突部１５及び２０が設けられるようになり、袖側領域７の面積が増加して、袖側領域７の吸収量が増加できるようになる。
【００４５】
前記折り線１０、１１の配置は、脇用汗取りパッド１の中間部で交差する形態に代えて、図９〜図１２に示されるように、外形線上の１点からそれぞれ異なる方向に延びるようにしてもよい。図９及び図１０に示される形態例では、脇用汗取りパッド１の外形が図１に示される形態例と同様に形成されており、前記折り線１０、１１が、隣接する突部１５、１５間の窪み部１７の底部から連結部１６の中央部にかけて延びている。
【００４６】
また、図１１及び図１２に示される実施形態例では、３方に突出する突部１５、１５…のうち連結部１６に隣接する突部１５、１５が、中央部に配置される突部１５より大きな直径からなる円弧状の外形線を有するとともに、この相対的に大きな直径で形成された突部１５、１５の外形線が延在することこにより連結部１６が形成され、連結部１６の中央部で窪み部１６ａを形成しながら、両側の突部１５、１５から延在した外形線が接続している。前記突部１５と連結部１６との境界は必ずしも明確である必要はなく、前記窪み部１６ａから両側に延びる外側に膨出する曲線のうち、突部１５の先端まで達しない所定範囲を連結部１６と定義してもよいし、前記窪み部１６ａから両側に延びる外側に膨出する曲線同士を結ぶ１本の接線の接点を境界として、この接点より窪み部１６ａ側を連結部１６と定義してもよい。前記折り線１０、１１は、隣接する突部１５、１５間の窪み部１７の底部から、連結部１６の中央部に形成された窪み部１６ａにかけて延びている。これによって、前記折り線１０又は１１で折り曲げた状態では、図１２に示されるように、胴側領域６のうち相対的に大きな直径を有する突部１５が配置された側に、折り線１０又は１１に沿う方向の長さが相対的に長い一方側延在部１３が形成されるようになる。本形態例では、前記折り線１０、１１の両端にそれぞれ、脇用汗取りパッド１の外形線が周辺よりも内側に窪む凹部（窪み部１７、１６ａ）が形成されるため、折り線１０、１１の位置が視認しやすくなるとともに、前記凹部を起点として折り線位置で折り曲げやすくなる。
【００４７】
次に、前記折り線１０、１１での折り曲げを容易にするための手段について説明すると、図１３に示されるように、前記折り線１０、１１に沿って屈曲補助手段を施すのが好ましい。この屈曲補助手段としては、前記折り線１０、１１での曲げ剛性を低下させたものであれば公知の手段を制限なく採用できるが、好ましくは、吸収体４の目付を低下させた低目付部やエンボス溝などで構成するのがよい。前記低目付部としては、図１３(A)に示されるように、前記吸収体４の表裏を貫通する貫通部を間欠的に配置した点線状スリット線２２、図１３(B)に示されるように、折り線１０、１１の全長に亘って所定幅で吸収体４を存在しないようにした連続線状スリット線２３によって形成することができる。図１３(B)に示される連続線状スリット線２３とした場合には、吸収体４が前記折り線１０、１１で分割されるようになる。スリット線の幅としては、吸収性能の低下を防止する観点から、２ｍｍ以下とするのが好ましい。また、前記低目付部として、表裏を貫通するスリット線に代えて、吸収体４の肌側、非肌側又はその中間部に底部を有する溝状に形成してもよい。一方、前記エンボス溝としては、吸収体４に表面シート３を積層した状態または、裏面シート２、吸収体４及び表面シートを積層した状態で、折り線１０、１１に沿って、脇用汗取りパッド１の肌側又は非肌側からの圧搾により、非肌側又は肌側に窪ませた凹状のエンボス溝によって形成することができる。前記屈曲補助手段を設けることによって、この屈曲補助手段を可撓軸として、脇用汗取りパッド１が折り曲げやすくなる。
【００４８】
図１４に示されるように、前記裏面シート２の外面側には、衣服に対する固定のため、所定の領域にズレ止め用の粘着剤層８が設けられている。この粘着剤層８は、前記折り線１０、１１と厚み方向に重ならない位置に設けるのが好ましい。また、各折り線１０又は１１で折り曲げたとき、胴側領域６及び袖側領域７にそれぞれ少なくとも１つの粘着剤層８が設けられるように配置するのが好ましい。前記粘着剤層８は、剥離シート９によって剥離可能に覆われている。
【００４９】
また、本脇用汗取りパッド１では、図１５に示されるように、装着時に左右の装着する側に応じて折り曲げるべき折り線１０又は１１が容易に識別できるようにするため、各折り線で折り曲げたときの装着する左右の側及び装着の向きが外部から視認可能な表示部２１を設けるのが好ましい。この表示部２１を設けることにより、所定の折り線１０又は１１で折り曲げたとき、脇用汗取りパッド１を左右のどちらの脇に装着すべきか、またどの向きで装着すべきかが容易に判別できるようになる。前記表示部２１は、脇用汗取りパッド１を装着する際、外部から視認可能であればどこに施してもよいが、図１５に示されるように、前記剥離シート９の外面に施すのがよい。前記表示部２１としては、左脇用折り線１０及び右脇用折り線１１に沿って、それぞれ左脇用の折り線又は右脇用の折り線であることを表示するとともに、左脇用折り線１０で折り曲げたときの胴側領域６Ａ及び袖側領域７Ａにそれぞれ、左脇用折り線１０と平行する向きで、胴側又は袖側に配置することを表示し、かつ右脇用折り線１１で折り曲げたときの胴側領域６Ｂ及び袖側領域７Ｂにそれぞれ、右脇用折り線１１と平行する向きで、胴側又は袖側に配置することが表示することができる。
【００５０】
前記表示部２１を施す部位は、裏面シート２の外面でもよいし、表面シート３の外面側から透けて見えるように、表面シート３の下層側に配置した部材の表面シート３側の面でもよい。
【００５１】
前記剥離シート９は、図１５に示されるように、脇用汗取りパッド１とほぼ同じ大きさ、形状で形成され、脇用汗取りパッド１のほぼ全面を覆うように配置するのが好ましい。また、装着に際して、折り線１０又は１１で剥離シート９を切り取って胴側領域６又は袖側領域７の部分の剥離シート９を予め剥離した状態で衣服に貼着した後、残りの部分の剥離シート９を剥離して衣服に貼着するという手順での装着を容易にするため、各折り線１０、１１に沿って剥離シート９が簡単に切り取り可能なように、各折り線１０、１１に沿ってミシン目などの易引裂き部を設けるのが好ましい。
【符号の説明】
【００５２】
１…脇用汗取りパッド、２…裏面シート、３…表面シート、４…吸収体、６・６Ａ・６Ｂ…胴側領域、７・７Ａ・７Ｂ…袖側領域、８…粘着剤層、９…剥離シート、１０・１１…折り線、１２…折り線重なり部、１３…一方側延在部、１４…他方側延在部、１５…突部、１６…連結部、１７…窪み部、１８…交点、２１…表示部
【図１】
2020081439.tif 000003
【図２】
2020081439.tif 000004
【図３】
2020081439.tif 000005
【図４】
2020081439.tif 000006
【図５】
2020081439.tif 000007
【図６】
2020081439.tif 000008
【図７】
2020081439.tif 000009
【図８】
2020081439.tif 000010
【図９】
2020081439.tif 000011
【図１０】
2020081439.tif 000012
【図１１】
2020081439.tif 000013
【図１２】
2020081439.tif 000014
【図１３】
2020081439.tif 000015
【図１４】
2020081439.tif 000016
【図１５】
2020081439.tif 000017
【図１６】
2020081439.tif 000018
【図１７】
2020081439.tif 000019